(57)【要約】      （修正有）【課題】使用時の陰茎に対する締め付け感の調整ができるとともに、仮に陰茎に圧迫感があった場合には、圧迫感を与えることを抑制し、陰茎に与える刺激にバリエーションを持たせることができる射精促進器を提供する。【解決手段】射精促進器１は、分割された外装ケース２が軸方向を中心にそれぞれ独立して回転可能とされており、外装ケース２の回転により、内装部材５及び挿入部５２が捻れるため、締め付け感の調整を簡便に実施することができる。また、使用時における陰茎の圧迫感を、陰茎が挿入されていない他方の蓋体３ｂの開閉度合いを調整することにより制御でき、陰茎に過度の圧迫感が付与されることを防止する。そして、陰茎に与える刺激にバリエーションを持たせることができるため、使用性が良好であり、精子の採取及び射精の促進が効率よく実施され、使用後に洗浄を簡便に行うことが可能であり、衛生面にも優れる。【選択図】図８
0003208982.tif 000002
【実用新案登録請求の範囲】
【請求項１】
長手方向の両端が開口する開口部が形成され、手で握ることが可能な筒状の形状とされた外装ケースと、
当該外装ケースの２つの前記開口部をそれぞれ開閉する蓋体と、
前記外装ケースの内部に形成された空間に収容される、前記開口部に両端を配置し、当該両端にそれぞれ挿入口を有し、当該２つの挿入口を繋いで内部を貫通する挿入部が形成された筒状の内装部材と、を備え、
前記外装ケースが、当該外装ケースの軸方向と略直交する方向に少なくとも２つに分割され、
前記分割された外装ケースは、前記軸方向を中心にそれぞれ独立して回転可能とされ、
前記分割された外装ケースは、前記内装部材とそれぞれ少なくとも部分的に固定され、
前記外装ケースの回転により、前記内装部材及び前記挿入部が前記外装ケースの回転方向と同じ方向に捻れることを特徴とする射精促進器。
【請求項２】
前記外装ケースが２つに分割されることを特徴とする請求項１に記載の射精促進器。
【請求項３】
前記外装ケースの回転が段階的に固定可能であることを特徴とする請求項１または請求項２に記載の射精促進器。
【請求項４】
前記内装部材が、前記挿入部により内部が貫通された本体部と、
前記本体部の長手方向両端に配設され、略中央に前記挿入口を有する円盤形状のフランジと、
前記本体部から外方向に張り出すように形成された緩衝部と、を備え、
前記本体部、前記フランジ及び前記緩衝部が一体となって形成されており、
前記外装ケースの開口部に前記フランジが固定されていることを特徴とする請求項１ないし請求項３のいずれかに記載の射精促進器。
【請求項５】
前記蓋体が、前記外装ケースの軸方向を中心に回転させることにより開閉可能とされていることを特徴とする請求項１ないしは請求項４のいずれかに記載の射精促進器。
【請求項６】
前記蓋体の少なくとも一方の内部に、潤滑剤を充填した潤滑剤充填用容器が取り付けられていることを特徴とする請求項１ないし請求項５のいずれかに記載の射精促進器。
【考案の詳細な説明】
【技術分野】
【０００１】
本考案は、射精促進器に関する。さらに詳しくは、男性の陰茎（ペニス）に刺激を与えることにより、射精を促進・誘発し、精子（精液）採取器としても使用可能な射精促進器に関する。
【背景技術】
【０００２】
射精促進器ないし精子（精液）採取器（以下、単に「射精促進器等」とする場合もある。）は、陰茎（ペニス）を挿入する内装部材について、陰茎との密着性や刺激等を高めるために、陰茎のサイズや形状等に応じて内部構造等にいろいろな工夫がなされている。また、このような射精促進器は、精子の採取器（精子採取器、精子採取装置等）として、医学的な研究や治療等の見地に加えて、個人的な性的欲求を解消させることによる性犯罪の予防等の社会的な要求という見地からも、極めて重要とされている。
【０００３】
ここで、従来の射精促進器等としては、例えば、緩衝材を内挿した円筒状の外装ケースに形成された空間に、陰茎を挿入するための筒状の空間となる挿入部を内部に有する弾性変形自在なエラストマー等の合成樹脂等からなる内装部材を配設し、かかる内装部材の挿入部の内壁に、膣の内部形状を模した複数の小突起や襞形状が形成された構造とされるものが知られている（例えば、特許文献１ないし特許文献３を参照。）。なお、内装部材の挿入部の内壁に形成された小突起や襞状形状としては、例えば、直線または波線状のリブや、ポリープ状の小突起や襞形状を呈することにより膣構造を模すような形状とされており、陰茎を内装部材の挿入部に挿入した際には、陰茎に対して膣に挿入されたと同様な刺激が与えられるようにしている。
【先行技術文献】
【特許文献】
【０００４】
【特許文献１】実用新案登録第３０７６１８３号公報
【特許文献２】特許第４６９１３９８号公報
【特許文献３】特開２０１３−４６７４７号公報
【考案の開示】
【考案が解決しようとする課題】
【０００５】
従来の射精促進器等は、挿入された陰茎に対する締め付け感の調整は、内装部材を収容した外装ケースを使用者が使用中に握りしめることによって、締め付け感が内装部材と外装ケースの間に介在されるスポンジ等の緩衝材を介して陰茎に伝わる程度であり、射精促進器としての締め付け感の調整は、実質的にはできなかった。
【０００６】
その一方で、前記した従来の射精促進器等は、筒状の空間となる挿入部について一端が開口され、他端が塞がれた構成であるため、開口された一端に形成された開口部から陰茎を挿入するのであるが、前記したように他端が塞がれているため、使用時における陰茎に与える圧迫感が過度に強くなることがあり、陰茎への刺激ないしは射精の促進へ悪影響を与える場合があった。
【０００７】
加えて、一端が開口されているだけである場合には、射精後の精子ないし精液の採取が面倒となるとともに、射精促進器等を射精後に洗浄する際に、洗浄作業が困難な場合があり、内装部材の内部に精液（精子）や、使用されたローション等が残ってしまったりする等、衛生上好ましいものとはいえなかった。
【０００８】
本考案の目的は、前記の課題に鑑みてなされたものであり、使用時の陰茎に対する締め付け感の調整ができるとともに、仮に陰茎に圧迫感があった場合には、圧迫感を与えることを抑制し、陰茎に与える刺激にバリエーションを持たせることができることに加え、洗浄を簡便に行うことが可能であり、衛生面にも優れた射精促進器を提供することにある。
【課題を解決するための手段】
【０００９】
前記の課題を解決するために、本考案に係る射精促進器は、長手方向の両端が開口する開口部が形成され、手で握ることが可能な筒状の形状とされた外装ケースと、当該外装ケースの２つの前記開口部をそれぞれ開閉する蓋体と、前記外装ケースの内部に形成された空間に収容される、前記開口部に両端を配置し、当該両端にそれぞれ挿入口を有し、当該２つの挿入口を繋いで内部を貫通する挿入部が形成された筒状の内装部材と、を備え、前記外装ケースが、当該外装ケースの軸方向と略直交する方向に少なくとも２つに分割され、前記分割された外装ケースは、前記軸方向を中心にそれぞれ独立して回転可能とされ、前記分割された外装ケースは、前記内装部材とそれぞれ少なくとも部分的に固定され、前記外装ケースの回転により、前記内装部材及び前記挿入部が前記外装ケースの回転方向と同じ方向に捻れることを特徴とする。
【００１０】
本考案に係る射精促進器は、前記した本考案において、前記外装ケースが２つに分割されることを特徴とする。
【００１１】
本考案に係る射精促進器は、前記した本考案において、前記外装ケースの回転が段階的に固定可能であることを特徴とする。
【００１２】
本考案に係る射精促進器は、前記した本考案において、前記内装部材が、前記挿入部により内部が貫通された本体部と、前記本体部の長手方向両端に配設され、略中央に前記挿入口を有する円盤形状のフランジと、前記本体部から外方向に張り出すように形成された緩衝部と、を備え、前記本体部、前記フランジ及び前記緩衝部が一体となって形成されており、前記外装ケースの開口部に前記フランジが固定されていることを特徴とする。
【００１３】
本考案に係る射精促進器は、前記した本考案において、前記蓋体が、前記外装ケースの軸方向を中心に回転させることにより開閉可能とされていることを特徴とする。
【００１４】
本考案に係る射精促進器は、前記した本考案において、前記蓋体の少なくとも一方の内部に、潤滑剤を充填した潤滑剤充填用容器が取り付けられていることを特徴とする。
【考案の効果】
【００１５】
本考案に係る射精促進器は、分割された外装ケースが軸方向を中心にそれぞれ独立して回転可能とされており、少なくとも１つの外装ケースの回転により、内装部材及び使用者の陰茎が挿入される挿入部が外装ケースの回転と同じ方向に捻れるため、通常の状態と比較して使用者の陰茎への締め付けを強くすることができる等、締め付け感の調整を簡便に実施することができる。
【００１６】
また、本考案に係る射精促進器は、外装ケースの両端の開口される開口部を蓋体により開閉可能とされているとともに、内装部材の内部に形成される、陰茎が挿入される挿入部が貫通されているので、使用時における陰茎の圧迫感を、陰茎が挿入されていない他方の蓋体の開閉度合いを調整することにより制御可能となり、陰茎に過度の圧迫感が付与されることを防止することができる。さらに、本考案に係る射精促進器は、他方の蓋体の開閉度合いの調整により、陰茎に与える刺激にバリエーションを持たせることができるため、使用性が良好であり、精子（精液）の採取及び射精の促進を効率よく行うことができる。加えて、外装ケースの両端が開口されており、挿入部が貫通されているので、使用後に洗浄を簡便に行うことが可能であり、衛生面にも優れた射精促進器となる。
【図面の簡単な説明】
【００１７】
【図１】本考案に係る射精促進器の一態様を示す正面図である。
【図２】本考案に係る射精促進器の一態様を示した斜視図である。
【図３】図２において、一方の蓋体を取り外した状態を示した図である。
【図４】第１外装ケースの斜視図である。
【図５】第２外装ケースの斜視図である。
【図６】蓋体の内部構造を示した図である。
【図７】潤滑剤充填用容器の一態様を示した図である。
【図８】図１のＡ−Ａ断面図である。
【図９】内装部材の一態様を示した斜視図である。
【図１０】図９のＢ−Ｂ断面図である。
【図１１】取付リングの斜視図である。
【考案を実施するための形態】
【００１８】
以下、本考案の実施形態の例を図面に基づいて説明する。
【００１９】
（Ｉ）射精促進器１の構成：
図１は、本考案に係る射精促進器１の一態様を示した正面図、図２は、本考案に係る射精促進器１の一態様を示した斜視図、図３は、図２において、一方の蓋体３ａを取り外した状態を示した図、をそれぞれ示す。図４は第１外装ケース２ａの斜視図、図５は第２外装ケース２ｂの斜視図、をそれぞれ示す。
【００２０】
本実施形態に係る射精促進器１は、精子（精液）を採取する装置（精子採取装置）としても使用することができ、図１ないし図３に示すように、長手方向（図１等参照。以下、「長手方向」について同じ。）の両端が開口され、手で握ることが可能な筒状の形状とされた外装ケース２と、かかる外装ケース２の２つの開口部２１（図３の開口部２１ａを参照。なお、もう１つの開口部は、図３では示されていないが、蓋体３ｂを取り外すことにより開口部２１ａと同様に現れる。蓋体３ｂを取り外して現れる開口部２１ｂについては図８も参照。）を開閉する蓋体３と、外装ケース２の内部に形成された空間４に収容される、開口部２１に両端を配置し、両端にそれぞれ挿入口５１を有し、長手方向の両端が開口されるように、対となる２つの挿入口５１を繋いで内部を貫通する挿入部５２が形成された筒状の内装部材５（内装部材５については後記する図８等参照。）と、を基本構成として備える。
【００２１】
射精促進器１において、外装ケース２は、内装部材５を収容する空間４を内部に有し、長手方向の両端がそれぞれ開口された筒体であり、外装ケース２の開口部２１は、外装ケース２に着脱可能に形成された蓋体３により開閉されるものである。
【００２２】
なお、本実施形態にあっては、２つに分割された外装ケース２（第１外装ケース２ａ及び第２外装ケース２ｂ）を組み合わせて一体化された例を示している。また、図１及び図２は、蓋体３（蓋体３ａ，３ｂ）により外装ケース２の開口部２１が閉められた状態を示している（蓋体３ａで第１外装ケース２ａの開口部２１ａを、蓋体３ｂで第２外装ケース２ｂの開口部２１ｂ（図８参照。）をそれぞれ閉める。）。
【００２３】
外装ケース２は、例えば、合成樹脂により構成されることができる。また、外装ケース２の形状は、開口部２１から陰茎を挿入した状態で、図示しない使用者の手で握ることが可能な筒状の形状とされていれば特に制限はなく、本実施形態にあっては、図１等に示すように、第１外装ケース２ａと第２外装ケース２ｂを組み合わせた状態で、長手方向の略中央に、平面視でなだらかな山状となる小径部２２と、かかる小径部２２を挟んで、小径部２２より大きな径からなる２つの大径部２３，２４が、小径部２２の中央（本実施形態における２つの外装ケース２ａ，２ｂの境。）に対して対称に形成されている。使用者は、大径部２３，２４と小径部２２の境界２５に手の親指と人差し指をかけて握ることができるため、使用者にとって握りやすい形状となる。
【００２４】
本実施形態では、外装ケース２は、小径部２２の中央から、外装ケース２の軸方向（図１等参照。例えば、開口部２１の中心を通る長手方向と略平行の軸の方向。）と略直交（以下、単に「直交」とする場合もある。）する方向に２つに分割され、第１外装ケース２ａと第２外装ケース２ｂが組み合わされて形成されている。
【００２５】
また、「外装ケース２の軸方向と略直交する方向（図１参照。）に分割される」とは、図１にも示すように、正面視で、軸方向と略直交する面で分けられることを意味する。なお、「略直交する方向」とは、直交する方向（軸方向と９０°の方向。）のほか、９０°から若干外れた方向（例えば、９０°±５°程度。）も含む。
【００２６】
なお、本考案にあって、蓋体３や外装ケース２ａ，２ｂの回転は、外装ケース２の軸方向を中心に行われるが、外装ケース２等の軸方向と内装部材５の挿入部５２の軸方向は、内装部材５が外装ケース２に収容される場合も含め共通することとなる。よって、外装ケース２の回転が外装ケース２の軸方向を中心に行われることは、回転が内装部材５の軸方向を中心になされることと共通する。
【００２７】
図４及び図５に示すように、第１外装ケース２ａ及び第２外装ケース２ｂにおける開口部２１と反対側の部分（外装ケース２ａ，２ｂ同士が組み合わされる部分を指す。）についても、後記する内装部材５を収容可能なように、それぞれ開口されている。また、第２外装ケース２ｂの開口された部分２８に対して周状に張り出すように嵌合部２８ｂが形成されており、かかる嵌合部２８ｂを、第１外装ケース２ａの開口された部分２９の内側に挿入して嵌め込むことにより、２つの外装ケース２ａ，２ｂが、外装ケース２の軸方向を中心にそれぞれ独立して回転可能に一体化される。
【００２８】
分割された２つの外装ケース２ａ，２ｂは、それぞれが内装部材５と少なくとも部分的に固定されて、両者が一体化される。外装ケース２ａ，２ｂのそれぞれが内装部材５と一体化されることにより、外装ケース２ａ，２ｂの少なくとも一方を回転させる（２つの外装ケース２ａ，２ｂのうち一方を他方に対して相対的に逆方向に回転させる。図１ないし図５には、外装ケース２ａ，２ｂに、白抜き太字矢印で、外装ケース２ａ，２ｂそれぞれの回転方向の一例が示されている。）ことにより、外装ケース２に収容された内装部材５が連動して外装ケース２の軸方向（内装部材５の挿入部５２の軸方向。）を中心に、外装ケース２の回転と同じ方向に回転して捻れることになる。かかる捻れにより、内装部材５の内側に形成された挿入部５２も捻れ、挿入された陰茎を締め付けることができる。これにより、陰茎に対する締め付けについて、外装ケース２を回転させない状態（以下、「通常の状態」とする場合がある。）と比較して高くすることができる。かかる外装ケース２の回転は、もちろん、外装ケース２ａ，２ｂをそれぞれに対して相対的に逆方向に回転させてもよい。
【００２９】
陰茎に対する締め付け感の調整は、このように、分割された２つの外装ケース２ａ，２ｂの（少なくとも）一方を回転させることにより実施されるが、分割された外装ケース２（第１外装ケース２ａ，第２外装ケース２ｂ）の回転は、段階的に固定可能とされることが好ましい。回転が段階的に固定可能とされることにより、内装部材５ないしは挿入部５２の捻り度合いを一定の状態で固定することができ、締め付け感を段階的に調整することができる。
【００３０】
回転を段階的に実施させるには、例えば、第１外装ケース２ａの開口された部分に形成された嵌合部８と、第２外装ケース２ｂの開口された部分の内側に対応する部分の一方に凹み部Ｚ（あるいは図示しない突起。）（本実施形態では、図４の第１外装ケース２ａに凹み部Ｚを示している。）、他方にかかる凹み部Ｚと嵌合可能な形状の突起Ｙ（あるいは、突起と嵌合可能な形状の凹み部。）（本実施形態では、図５の第２外装ケース２ｂに突起Ｙを示している。）を所定の段階的な間隔で形成するようにすれば（なお、凹み部Ｚを所定の段階的な間隔で形成すれば、突起Ｙは１つでも構わない。）、軸方向を中心に外装ケース２を回転させた際に凹み部Ｚと突起Ｙが段階的に嵌め込まれて固定され、２つの外装ケース２ａ，２ｂもその位置で固定されることになる。なお、かかる凹み部Ｚと突起Ｙは、外装ケース２を軽く回転させる程度で、嵌め込みが開放される程度の高さないし深さで形成するようにすればよい。
【００３１】
なお、固定される段階は特に制限はなく、図４等では、任意の位置から１回転した場合に６段階（１段階が６０°回転。）できるように突起Ｙや凹み部Ｚを示しているが、例えば、２段階（１段階が１８０°回転。）〜１２段階（１段階が３０°回転。）の範囲の中から選択することが好ましいが、かかる範囲には限定されない。なお、本考案でいう「回転」は、任意の位置にある外装ケース２の少なくとも一方を、外装ケース２の軸方向を中心に動かす（回す、捻る。）ことを意味し、３６０°回転（いわゆる１回転）のほか、３６０°未満の任意の角度（例えば、３０°、４５°、６０°で回すこと（順に、３０°回転、４５°回転、６０°回転。）も、本考案でいう「回転」に含まれるものである。
【００３２】
外装ケース２の軸方向を中心に、外装ケース２の一方を、他方に対して相対的に回転させることで、内装部材５及び内部の挿入部５２がかかる回転と連動して捻られるためには、前記したように、２つの外装ケース２ａ，２ｂのそれぞれと内装部材５は、少なくとも部分的に固定される必要がある。部分的に固定させるための手段としては、特に制限はないが、例えば、後記する図８に示すように、内装部材５（後記）のフランジ７を、後記する図１１に示すような取付リング９等を用いて、第１外装ケース２ａや第２外装ケース２ｂの開口部２１（の対応する部分（例えば、外周縁等。））に固定するようにして、外装ケース２と内装部材５を固定して一体化させるようにしてもよい。また、内装部材５の緩衝部８（後記）の側面を、外装ケース２の内壁に接着等することによって、外装ケース２と内装部材５を、部分的に固定して一体化するようにしてもよく、その手段としては特に制限はない。
【００３３】
次に、外装ケース２の開口部２１及びその開閉について説明する。外装ケースの２つの開口部２１は、蓋体３により開閉可能とされる。蓋体３は、本実施形態にあっては、椀状に形成された部材を示しており、図３に示すように、外装ケース２の円形状の開口部２１に対応する円形状の天面部３１と、天面部３１の周縁に外方へ延びるように形成された周縁部３２とからなる。
【００３４】
また、蓋体３を外装ケース２の開口部２１に取り付けた場合にあっては、蓋体３の周縁部３２は、外装ケース２の大径部２３，２４に沿って段差を感じさせず繋がるようになり、使用者にとって握りやすい形状を維持することになる。蓋体３は、従来公知の合成樹脂や金属材料等で構成することができ、軽量性、加工性、コスト面等の観点から合成樹脂で構成されることが好ましい。
【００３５】
蓋体３は、外装ケース２の軸方向を中心に回転させることにより開閉可能とされていることが好ましい。このようにすることにより、使用者が外装ケース２を握った状態で蓋体３の開閉度合いを調整することができ、射精促進器１を手で握って使用しながら簡便に開閉状態を調整することができる。
【００３６】
蓋体３により外装ケース２の開口部２１を開閉するための手段については、例えば、蓋体３の周縁部３２の内側と外装ケース２の開口部２１の周縁に螺合可能な図示しないねじ山をそれぞれ形成するようにして、蓋体３と外装ケース２の開口部２１を螺合させて開閉させるようにしてもよい。
【００３７】
図６は、蓋体３（蓋体３ａ）の内部構造を示した図である。図６に示す蓋体３の内部周縁には、凸部２７が形成されており、蓋体３により外装ケース２の開口部２１を開閉するには、図３や図６に示すように、開口部２１の周縁に凹部２６、及び蓋体３に形成された凸部２７を収納するための、凹部２６から周方向に延びる凸部格納部２６ａを形成して、次のようにしてもよい。
【００３８】
すなわち、蓋体３により開口部２１を閉じるには、凹部２６に凸部２７を入れ、蓋体３を外装ケース２の軸方向を中心に軽く回転させて、凸部２７を凸部格納部２６ａに移動させることにより、開口部２１に蓋体３を固定して、開口部２１を閉じることができる。
【００３９】
一方、この状態から、蓋体３を前記の方向とは逆方向に軽く回転させて、凸部２７を凸部格納部２６ａ及び凹部２６から出すことにより、外装ケース２の開口部２１から蓋体３を取り外して、開口部２１を開けた状態とすることができる。このようにして、外装ケース２の開口部２１に対して蓋体３を取り付けたり取り外したりすることにより、開口部２１を蓋体３により開閉することが可能とされる。
【００４０】
なお、図６に示すように、本実施形態にあっては、蓋体３の内部には、天面部３１の裏面に、容器固定用ねじ穴３１ａが形成されている。かかる容器固定用ねじ穴３１ａは、図７に示した潤滑剤充填用容器３３を取り付けるために役立つ。
【００４１】
図７は、潤滑剤充填用容器３３の一態様を示した図である。潤滑剤充填用容器３３（以下、単に「容器３３」とする場合もある。）は、射精促進器１を使用する際に用いられる潤滑剤（ローション）が内部に充填され、容器３３の口部３３ｘに形成された固定用ねじ山３３ａを蓋体３に形成された容器固定用ねじ穴３１ａにねじ込むことにより、蓋体３の内部に対して取り付けられて固定される。また、このようにして蓋体３の内部に容器３３を取り付けて、容器３３の胴部３３ｂを、内装部材５の挿入口５１に挿入した状態で、蓋体３により開口部２１を閉めることにより、射精促進器１の蓋体３の内部に容器３３を固定装填することができ、別途潤滑剤を用意する手間等を省くことができるとともに、潤滑剤を充填した容器３３を内部に装填した状態で、射精促進器１を流通させることができる。
【００４２】
なお、射精促進器１を使用する際には、蓋体３を開けて、蓋体３から潤滑剤充填用容器３３を取り外した後、容器３３から潤滑剤を挿入口５１に対して充填するようにすればよい。充填時は、容器３３の固定用ねじ山３３ａが形成された口部３３ｘを、挿入口５１に挿入すればよい。潤滑剤充填用容器３３は、蓋体３の少なくとも一方の内部に取り付けられていてもよく、蓋体３の両方に取り付けられていてもよい。
【００４３】
次に、外装ケース２の空間４に収容される内装部材５について説明する。図８は図１のＡ−Ａ断面図であり、図９は内装部材５の一態様を示した斜視図、図１０は図９のＢ−Ｂ断面図、をそれぞれ示す。なお、図８にあっては、潤滑剤充填用容器３３については載せておらず、図８及び図１０では、縦緩衝部８２を面方向の断面が現れるように切断した断面図を示している。
【００４４】
本実施形態に係る射精促進器１を構成する、いわゆるコア部材となる内装部材５は、外装ケース２の空間４に収容され、外装ケース２の開口部２１にその両端が配置される筒状の部材である。内装部材５の両端は、それぞれ、フランジ７の略中央に挿入口５１を有し、かかる２つの挿入口５１を繋いで貫通する１本の挿入部５２が内部に形成されている。内装部材５は、本実施形態にあっては、図９等に示すように、陰茎が挿入される空間である挿入部５２によりその内部が貫通された本体部６と、かかる本体部６の長手方向両端に配設された、円盤形状のフランジ７により構成されており、本体部６、フランジ７及び後記する緩衝部８が一体となって形成されているものである。
【００４５】
内装部材５の外観形状は、外装ケース２の形状に併せて、挿入部５２の軸方向及び周方向にそれぞれ緩衝部８が、本体部６から外方向（内装部材５を外装ケース２の内部の空間４に収容した際に、外装ケース２の内壁に向かう方向。）に向かって張り出すように形成されている。かかる緩衝部８の存在により、外装ケース２の内壁にフィットしやすい形状とされ、外装ケース２の内部の空間４に安定した状態で収容されるとともに、外装ケース２を回転させた際に、内装部材５が回転方向に捻られやすくなる。
【００４６】
一般に、内装部材５と外装ケース２の間に形成される空間４には、スポンジ等の緩衝材が充填されることが多いが、前記したように、分割された外装ケース２の回転による内装部材５ないしは挿入部５２の捻れをスムースに実施するため、内装部材５の本体部６から外方向に向かって緩衝部８を設けるようにしている。
【００４７】
図９等に示すように、内装部材５に形成される緩衝部８は、本実施形態では、挿入部５２が内部に形成される本体部６に対して、リング状の横緩衝部８１と、本体部６の軸方向に沿って形成された縦緩衝部８２により構成される。また、横緩衝部８１の周縁と縦緩衝部８２の形状は、外装ケース２の内壁の形状と対応し、外装ケース２にフィットしやすくなり、外装ケース２の内部に安定した状態で収容される。なお、縦緩衝部８２は横緩衝部８１の補強リブとなり、横緩衝部８１の形状維持に役立つことになる。
【００４８】
また、緩衝部８は、外装ケース２に内装部材５との間の空間４を埋めるように形成され、外装ケース２を握ることにより、内装部材５に適度な圧力をかけることができる。これにより、内装部材５の挿入口５１から挿入された陰茎に対して、適度な締め付け感が伝わることになり、使用感が高まることになる。
【００４９】
内装部材５は、フランジ７の略中心に形成されている２つの挿入口５１と挿入部５２が繋がっていることで、挿入部５２が内装部材５（本体部６）の内部を貫通することになる。また、挿入部５２の内壁には、陰茎を刺激する部分（刺激部Ｘ）が形成されている。陰茎を刺激する部分（刺激部Ｘ）の形状の例としては、女性の膣の内部形状を模した、突起や襞形状、疣（いぼ）形状、蛇腹形状等が挙げられ、これらの刺激部Ｘを所定の配置で形成することができる。
【００５０】
図８等には、刺激部Ｘの一例である疣（いぼ）形状及び蛇腹形状等を所定の配置で形成した態様を示している。本考案にあっては、外装ケース２の両端が開口されているとともに、かかる外装ケース２の内部に収納される内装部材５における２つの挿入口５１と挿入部５２が貫通されていることにより、陰茎を挿入することができる箇所が２つ形成されていることになるため、使用性が良好な射精促進器１となる。
【００５１】
また、挿入部５２の内壁に形成される、陰茎を刺激する部分（刺激部Ｘ）については、図８等に示すように、２つの挿入口５１付近から見てそれぞれ異なる形状とすることが好ましい。このようにすれば、陰茎に対して、２つの挿入口５１からそれぞれ異なる種類の刺激を与えることができる。また、かかる挿入口５１付近と、挿入部５２の略中央付近とは、異なる形状や配置を採用することが好ましい。このようにすれば、陰茎の一部（例えば、亀頭等。）に、他の部分と異なる種類の刺激を与えることができる。
【００５２】
本体部６、フランジ７及び緩衝部８を含む内装部材５を構成する材料としては、適当な弾力、伸縮性、柔軟性を備えた材料を使用することが理想的であり、例えば、エラストマー等のゲル状樹脂材料、ゲル状のゴム、シリコーン系樹脂、ポリスチレン系樹脂等により構成されることが好ましい。
【００５３】
図１１は、取付リング９の斜視図である。前記した図８に示すように、射精促進器１にあっては、内装部材５を外装ケース２に取り付けるに際し、内装部材５のフランジ７を取付リング９により外装ケース２の開口部２１に固定することで、内装部材５が、分割された２つの外装ケース２ａ，２ｂに対してそれぞれ部分的に固定され、外装ケース２を回転させることにより、内装部材５が外装ケース２の回転方向に捻られることになる。
【００５４】
図１１に示した取付リング９は、外装ケース２の開口部２１の外周周縁に嵌め込み可能とされ、図８に示すように、取付リング９の内面９１と外装ケース２の外周周縁との間にフランジ７の周縁を挟み込むことにより、外装ケース２に対して内装部材５のフランジ７を固定することができ、内装部材５を外装ケース２に固定・一体化することができる。
【００５５】
取付リング９は、蓋体３と同様、従来公知の合成樹脂や金属材料等で構成することができ、軽量性、加工性、コスト面等の観点から合成樹脂で構成されることが好ましい。また、取付リング９は、蓋体３と共通する合成樹脂で構成されることが好ましい。
【００５６】
（II）射精促進器１の使用方法：
以下、本実施形態に係る射精促進器１の使用方法の一例を説明する。まず、射精促進器１の外装ケース２の一方の蓋体３ａを外して、外装ケース２の開口部２１を開いた状態とする。この時、開口部２１を開いた状態としたことにより現れる内装部材５の挿入口５１から図示しない潤滑剤（ローション）を注ぎ込んで塗りつけ、内装部材５の挿入部５２に潤滑剤をまんべんなく行きわたらせることが好ましい。また、かかる潤滑剤は、陰茎にも塗りつけておくことが好ましい。なお、蓋体３ａ内部に、潤滑剤を充填した潤滑剤充填用容器３３が取り付けられている場合には、蓋体３から潤滑剤充填用容器３３を取り外して、容器３３の中にある潤滑剤を挿入口５１から注ぎ込むようにしてもよい。
【００５７】
また、他方の蓋体３ｂは、閉じた状態としておく。ここで、前記のように潤滑剤を使用する場合において、本考案を、精子（精液）を採取するための精子（精液）採取器（精子採取装置）としても使用するに際しては、殺精子薬を含有しない、潤滑を主たる目的として用いられる単なる潤滑剤を使用するようにすることが好ましい。
【００５８】
次に、陰茎を、開口されている開口部２１から確認できるフランジ７に形成される挿入口５１から挿入部５２へと挿入するようにする。陰茎は、ある程度勃起した状態で挿入した方が使用上好ましい。挿入口５１から挿入部５２へ陰茎を挿入した後、使用者は射精促進器１を握り、好ましくは陰茎の長手方向に沿って適度に上下に動かすことにより、陰茎は、内装部材５の挿入部５２の内部に形成された疣（いぼ）形状及び蛇腹形状等の刺激部Ｘにより刺激されることになる。また、使用者が射精促進器１を握りしめることによって、内装部材５の緩衝部８を介して、内装部材５から陰茎が圧迫され、締め付け感が伝わることになる。
【００５９】
使用者が、陰茎に対して締め付け感を上げる（きつく締め付ける）ことを希望する場合には、外装ケース２ａ，２ｂの一方（例えば、第１外装ケース２ａ。）を他方（例えば、第２外装ケース２ｂ。）に対して回転させ、挿入部５２を捻った状態とさせることにより、挿入された陰茎を締め付けることができる。本考案は、このような外装ケース２ａ，２ｂの回転により、陰茎に対する締め付け感を簡便に調整することができる。
【００６０】
外装ケース２の回転により挿入部５２の締め付け感の調整は、外装ケース２の回転が段階的に固定できるため、１段階目（例えば、３０°回転。）で締め付けが弱いと感じた使用者は、外装ケース２をさらに回転させ（例えば、６０°回転。）、締め付けを更に強くすることができる。一方、１段階目で締め付けが強いと感じた使用者は、外装ケース２を１段階目とするために回転させた方向とは逆方向に回転させ、通常の状態に戻せばよい。
【００６１】
一方、このような外装ケース２の回転を実施した場合や、そうでない場合も含め、陰茎に対する締め付け感が強いと感じる場合には、使用者は、閉じられている他方の蓋体３ｂを緩めることにより、挿入部５２に対する通気量が変化し、陰茎に対する締め付け感を弱くすることができる。本考案は、このような他方の蓋体３ｂの開閉により、陰茎に対する締め付け感を簡便に調整して、陰茎に対する刺激を変化させることができる。なお、陰茎に対してある程度の開放感を与えたい場合には、他方の蓋体３ｂを外し、他方の蓋体３ｂにより隠れていた、陰茎を挿入していない側の挿入口５１が外部に現れるようにしてもよい。
【００６２】
このように、射精促進器の２つの蓋体３のうち一方（例えば、蓋体３ａ）は、使用時に使用者の陰茎を挿入するための、２つの挿入口５１のうちの一方の挿入口５１が現れるようにするために外される蓋体３となる。また、蓋体３の他方（例えば、蓋体３ｂ）は、使用時の開閉により、使用者の陰茎に対する締め付け感を調整する蓋体３となる。また、本考案は、分割された外装ケース２ａ，２ｂの回転による締め付け感の調整機能と、蓋体３の開閉による締め付け感の調整機能を併せ持った射精促進器１となる。
【００６３】
前記のような操作により使用者が射精した後は、他方の蓋体３ｂを外して、必要により他方の蓋体３ｂ側の開口部２１に現れる挿入口５１から所望の量の精子（精液）を採取するとともに、２つの蓋体３（蓋体３ａ，３ｂ）を外した状態で、内装部材５の内部空間である挿入部５２等に残った精子（精液）等を洗浄するようにする。また、蓋体３（３ａ，３ｂ）も洗浄するようにする。なお、前記した精子（精液）の採取は、他方の蓋体３ｂを取り付けたまま（閉じたまま）で、開放されている一方の挿入口５１にスポイト等を差し込んで吸引することにより実施するようにしても構わない。
【００６４】
（III）本考案の効果：
以上説明した本考案に係る射精促進器１は、分割された外装ケース２ａ，２ｂが軸方向を中心にそれぞれ独立して回転可能とされており、少なくとも１つの外装ケース２の回転により、内装部材５及び使用者の陰茎が挿入される挿入部５２が外装ケース２の回転と同じ方向に捻れるため、通常の状態と比較して陰茎への締め付けを強くすることができる等、締め付け感の調整を簡便に実施することができる。
【００６５】
本考案は、外装ケース２の両端の開口される開口部２１を蓋体３により開閉可能とされているとともに、内装部材５の内部に形成される、陰茎が挿入される挿入部５２が貫通されているので、使用時における陰茎の圧迫感を、陰茎が挿入されていない他方の蓋体３ｂの開閉度合いを調整することにより制御可能となり、陰茎に過度の圧迫感が付与されることを防止することができる。加えて、本考案は、他方の蓋体３ｂの開閉度合いの調整により、陰茎に与える刺激にバリエーションを持たせることができるため、使用性が良好であり、精子（精液）の採取及び射精の促進を効率よく行うことができる。
【００６６】
そして、本考案は、外装ケース２の両端が開口されており、挿入部５２が貫通されているので、使用後に洗浄を簡便に行うことが可能であり、衛生面にも優れた射精促進器１となる。
【００６７】
（IV）実施形態の変形：
なお、以上説明した態様は、本考案の一態様を示したものであって、本考案は、前記した実施形態に限定されるものではなく、本考案の構成を備え、目的及び効果を達成できる範囲内での変形や改良が、本考案の内容に含まれるものであることはいうまでもない。また、本考案を実施する際における具体的な構造及び形状等は、本考案の目的及び効果を達成できる範囲内において、他の構造や形状等としても問題はない。本考案は前記した各実施形態に限定されるものではなく、本考案の目的を達成できる範囲での変形や改良は、本考案に含まれるものである。
【００６８】
前記した実施形態では、内装部材５に関して、本体部６から外に向かうように緩衝部８が一体に形成されている態様を示したが、内装部材５について緩衝部８を設けずに、内装部材５の本体部６の周囲に図示しないスポンジ等の緩衝材を巻き付け、外装ケース２に収容するようにしてもよい。
【００６９】
前記した実施形態では、内装部材５の挿入部５２の内壁に形成される、陰茎を刺激する部分（刺激部Ｘ）の形状の一例について、疣（いぼ）形状及び蛇腹形状等を所定の配置で形成した態様を図８等に示して説明したが、刺激部Ｘの形状については前記したもの以外でもよく、刺激を与える可能性を有する従来公知の形状を採用することができる。
【００７０】
前記した実施形態では、外装ケース２の形状について、長手方向の略中央に、平面視でなだらかな山状となる小径部２２と、かかる小径部２２を挟んで、小径部２２より大きな径からなる２つの大径部２３，２４が、小径部２２の中央に対して対称に形成されている態様を、図１ないし図３等に示して説明したが、外装ケース２の形状はこれには限定されず、使用者の手で握ることが可能な筒状であれば形状等は任意に決定することができる。
【００７１】
前記した実施形態では、蓋体３の天面部３１の裏面に、容器固定用ねじ穴３１ａが形成され、潤滑剤充填用容器３３を固定可能としていたが、容器固定用ねじ穴３１ａの形成及び潤滑剤充填用容器３３の取り付けは必須ではなく、形成等しなくても構わない。
【００７２】
前記した実施形態では、２つに分割された外装ケース２（第１外装ケース２ａ及び第２外装ケース２ｂ）を組み合わせて一体化された例を示しているが、外装ケース２は、２つを超えた数（例えば、３、４、５、……、等。）に分割されていてもよい。一方、本考案にあっては、前記した実施形態に示すように、２つの開口部２１をそれぞれ開閉する２つの蓋体３を備え、２つの挿入口５１を繋いで内部を貫通する挿入部５２が形成された筒状の内装部材５収容すること等に鑑みれば、外装ケース２は、２つに分割されることが好ましい。
【００７３】
前記した実施形態では、分割された外装ケース２の回転が、段階的に固定可能とされる態様を示して説明したが、分割された外装ケース２の回転は、段階的に固定されないようにしても構わない。
【００７４】
また、蓋体３による外装ケース２の開口部２１を開閉する手段については、その他、蓋体３を開口部２１に対して物理的に嵌め込み可能とする等、蓋体３により外装ケース２の開口部２１を開閉できるのであれば、その手段は特に限定されない。
【００７５】
前記した実施形態の（II）では、蓋体３ａの内部に、潤滑剤を充填した潤滑剤充填用容器３３が取り付けられている場合も含めて説明した一方、潤滑剤があらかじめ注ぎ込まれておらず、使用時に潤滑剤を注ぎ込むようにした使用方法を例に挙げて説明した。本考案に係る射精促進器１は、潤滑剤を挿入部５２等にあらかじめ注ぎ込んだ状態で蓋体３を閉めてパッケージングして流通、販売するようにしてもよい。なお、その際には、挿入口５１に、使用時に容易に取り外すことができる図示しないスポンジ等からなる略円形の板状部材を載置したり、使用時に容易に取り外すことができる図示しない栓等をすることにより、流通時等の潤滑剤の漏れ等を防止することが好ましい。
その他、本考案の実施の際の具体的な構造及び形状等は、本考案の目的を達成できる範囲で他の構造等としてもよい。
【産業上の利用可能性】
【００７６】
本考案は、医療用途はもちろんのこと、男性の性的衝動等を抑制することにより、健全な社会構築等の手助けとなることができるため、産業上の利用可能性は極めて高い。
【符号の説明】
【００７７】
１  ……  射精促進器
２  ……  外装ケース
２ａ  ……  外装ケース（第１外装ケース）
２ｂ  ……  外装ケース（第２外装ケース）
２１  ……  開口部
２１ａ，２１ｂ  ……  開口部
２２  ……  小径部
２３，２４  ……  大径部
２５  ……  境界
２６  ……  凹部
２６ａ  ……  凸部格納部
２７  ……  凸部
２８，２９  ……  開口された部分
２８ｂ  ……  嵌合部
３  ……  蓋体
３ａ  ……  蓋体（一方の蓋体）
３ｂ  ……  蓋体（他方の蓋体）
３１  ……  天面部
３１ａ  ……  容器固定用ねじ穴
３２  ……  周縁部
３３  ……  潤滑剤充填用容器
３３ａ  ……  固定用ねじ山
３３ｂ  ……  胴部
３３ｘ  ……  口部
４  ……  空間
５  ……  内装部材
５１  ……  挿入口
５２  ……  挿入部
６  ……  本体部
７  ……  フランジ
８  ……  緩衝部
８１  ……  横緩衝部
８２  ……  縦緩衝部
９  ……  取付リング
９１  ……  内面
Ｘ  ……  刺激部
Ｙ  ……  突起
Ｚ  ……  凹み部
【図１】
0003208982.tif 000003
【図２】
0003208982.tif 000004
【図３】
0003208982.tif 000005
【図４】
0003208982.tif 000006
【図５】
0003208982.tif 000007
【図６】
0003208982.tif 000008
【図７】
0003208982.tif 000009
【図８】
0003208982.tif 000010
【図９】
0003208982.tif 000011
【図１０】
0003208982.tif 000012
【図１１】
0003208982.tif 000013